(57)【要約】【課題】キャリアへのチタンスペントを防止して、二成分現像剤の剤劣化、画像劣化を防止し、長期にわたって安定した画像形成を行うことができる画像形成装置を提供する。【解決手段】作像するトナー像の画像信号を検出し、トナー像の画像面積比率を検出する手段１１１と、現像装置７の駆動時間を検知し、１ジョブ中の現像駆動時間を算出する手段８５と、ジョブ中のトナー像の画像面積比率、用紙サイズ、現像駆動時間からジョブ中の単位駆動時間当たりの消費量を算出する手段１００とを備え、消費量を算出する手段で算出された消費量が予め定めた一定の消費量より多い場合、ジョブエンド時に現像スリーブ７１ａ、７１ｂを回転させ、空転させる制御をする【選択図】      図１
2009175417.tif 000002
【特許請求の範囲】
【請求項１】
像担持体と、
前記像担持体上を露光して静電潜像を形成する潜像形成手段と、
前記像担持体上の静電潜像をキャリアと酸化チタンを添加剤として含むトナーとから成る二成分現像剤を担持する現像剤担持手段で現像してトナー像とする現像装置と  備える画像形成装置において、
作像するトナー像の画像信号を検出し、トナー像の画像面積比率を検出する手段と、
前記現像装置の駆動時間を検知し、１ジョブ中の現像駆動時間を算出する手段と、
ジョブ中のトナー像の画像面積比率、用紙サイズ、現像駆動時間からジョブ中の単位駆動時間当たりの消費量を算出する手段とを備え、
前記画像形成装置は、消費量を算出する手段で算出された消費量が予め定めた一定の消費量より多い場合、ジョブエンド時に現像スリーブを空転させる制御をする
ことを特徴とする画像形成装置。
【請求項２】
請求項１記載の画像形成装置において、
前記画像形成装置は、消費量を算出する手段でジョブ中の単位駆動時間当たりの消費量がある一定の消費量を超過した際に、ジョブエンド時に現像スリーブを空転させる制御をする
ことを特徴とする画像形成装置。
【請求項３】
請求項１又は２記載の画像形成装置において、
前記画像形成装置は、現像スリーブの空転時間を消費量に応じた制御にする
ことを特徴とした画像形成装置。
【請求項４】
請求項１ないし３のいずれかに記載の画像形成装置において、
前記画像形成装置は、現像スリーブ空転時のスリーブ線速を制御させる
ことを特徴とした画像形成装置。
【請求項５】
請求項４記載の画像形成装置において、
前記画像形成装置は、現像スリーブ線速の上限を対ドラム線速比で２．５までの範囲で制御させる
ことを特徴とする画像形成装置。
【請求項６】
請求項１ないし５のいずれかに記載の画像形成装置において、
前記画像形成装置は、シリカを含むトナーを含む二成分現像剤を用いる
ことを特徴とする画像形成装置。
【請求項７】
請求項１ないし６のいずれかに記載の画像形成装置において、
前記画像形成装置は、樹脂で被覆したキャリアを含む二成分現像剤を用いる
ことを特徴とする画像形成装置。
【発明の詳細な説明】
【技術分野】
【０００１】
本発明は、プリンタ・複写機・ＦＡＸ等の電子写真方式を用いた画像形成装置に係り、詳しくは、感光体等の潜像担持体上に形成される静電潜像を二成分トナーにより顕像化する電子写真方式の画像形成装置に関する。
【背景技術】
【０００２】
複写機、プリンタ、ファクシミリ等の電子写真方式の画像形成装置に使用されているニ成分現像剤中のトナーには定着部での分離性向上のためのワックス成分、流動性の確保や帯電制御剤等の外添剤が付与されている。この外添剤には、ワックスやシリカ、酸化チタン、酸化アルミニウム、酸化亜鉛、酸化マグネシウム等が存在する。また、このような外添剤中の成分には、使用条件によって、トナーから遊離し、キャリア上に付着しスペントしてしまうものが存在する。
特にキャリアにスペントしやすい外添剤としてワックスや酸化チタンなどが挙げられる。それにより、キャリアの帯電能力が落ち、トナー濃度制御が困難になり画像濃度が低下するなどの不具合が生じる。このような問題に対して、特許文献１に記載された発明では現像駆動時間に応じてトナーを強制的に消費させることで以上の不具合を解決させている。
【０００３】
しかしながら、現像駆動時間に応じてトナーを強制的に消費させてしまった場合、ワックススペントには効果があるが、酸化チタンによるチタンスペントには逆効果となってしまう。ワックスの場合、トナー消費すればトナーとともに排出される。しかし、酸化チタンの場合、キャリアへの移行時間が短く、トナー消費前にキャリアへ移行してしまうため、トナー消費量に依存して、チタンスペントが発生する傾向にある。
図４は、累積現像駆動時間とキャリアへのチタン移行量との関係を示した図である。
このため、強制消費のようにトナーを消費させてしまうと、チタンスペントが加速してしまう。チタンスペントを防止するには、空転のようにキャリアにストレスを与えて、キャリアの膜が削れ易い状態にして、チタンスペントしにくい状況にする必要がある。また、酸化チタンはトナー帯電の環境変動を安定させるために必要不可欠なものである。
【０００４】
【特許文献１】特開平８−３１４２５３号公報
【発明の開示】
【発明が解決しようとする課題】
【０００５】
そこで、本発明は上記問題点に鑑みてなされたものであり、その課題は、キャリアへのチタンスペントを防止して、二成分現像剤の剤劣化、画像劣化を防止し、長期にわたって安定した画像形成を行うことができる画像形成装置を提供することである。
【課題を解決するための手段】
【０００６】
上記課題を解決する手段である本発明の特徴を以下に挙げる。
本発明の画像形成装置は、像担持体と、前記像担持体上を露光して静電潜像を形成する潜像形成手段と、前記像担持体上の静電潜像をキャリアとチタンを添加剤として含むトナーとから成る二成分現像剤を担持する現像剤担持手段で現像してトナー像とする現像装置と  備える画像形成装置において、作像するトナー像の画像信号を検出し、トナー像の画像面積比率を検出する手段と、前記現像装置の駆動時間を検知し、１ジョブ中の現像駆動時間を算出する手段と、ジョブ中のトナー像の画像面積比率、用紙サイズ、現像駆動時間からジョブ中の単位駆動時間当たりの消費量を算出する手段とを備え、前記画像形成装置は、消費量を算出する手段で算出された消費量が予め定めた一定の消費量より多い場合、ジョブエンド時に現像スリーブを回転させ、空転させる制御をすることを特徴とする。
また、本発明の画像形成装置は、さらに、消費量を算出する手段でジョブ中の単位駆動時間当たりの消費量がある一定の消費量を超過した際に、ジョブエンド時に現像スリーブを回転させ、現像スリーブを空転させる制御をすることを特徴とする。
また、本発明の画像形成装置は、さらに、現像スリーブの空転時間を消費量に応じた制御にすることを特徴とした。
また、本発明の画像形成装置は、さらに、現像スリーブ空転時のスリーブ線速を制御させることを特徴とした。
また、本発明の画像形成装置は、さらに、現像スリーブ線速の上限を対ドラム線速比で２．５までの範囲で制御させることを特徴とする。
また、本発明の画像形成装置は、さらに、シリカを含むトナーを含む二成分現像剤を用いることを特徴とする。
また、本発明の画像形成装置は、さらに、樹脂で被覆したキャリアを含む二成分現像剤を用いることを特徴とする。
【発明の効果】
【０００７】
本願発明の画像形成装置では、ジョブ終了後に空転を行うことで、キャリアへのチタン移行を防止できるため、チタンスペントによる剤劣化、画像劣化を防止でき、長期にわたって安定した画像形成を行うことができる。
【発明を実施するための最良の形態】
【０００８】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【０００９】
図１は、本発明の実施形態の画像形成装置の構成を示す概略図である。画像形成装置１は、感光体（像担持体）１０と、この感光体１０を一様に帯電させる帯電装置２と、帯電した感光体１０の表面にレーザー光を露光して潜像を形成する露光装置３と、感光体１０の表面の潜像に現像剤としてのトナーを供給して可視像化かさせる現像装置７と、現像装置７にトナーを供給するトナー補給部８と、可視像化した前記トナー像を転写紙に転写させる転写装置６と、感光体１０と転写手段６との間に供給される転写紙を一旦停止させるレジストローラ５とから主として構成されている。
このような構成の画像形成装置１において、感光体１０の表面を帯電装置２により約−９００Ｖに一様にマイナス帯電させた後、原稿等の画像情報を蓄積した画像メモリ制御部１１１の画像メモリから読み出された信号を、コントローラ１００でレーザー光によって約−５０Ｖの静電潜像に置き換える。次いで、マイナス帯電した非磁性トナーによってトナー像が形成される。現像装置７は、二成分現像装置であり、現像装置7内には、磁性材料からなるキャリアに非磁性トナーが所定の割合（トナー濃度）になるよう内包されている。
【００１０】
現像装置７は、感光体１０に現像剤中のトナーを付与する現像ローラ７１ａ、７１ｂと現像ロール７１ａ上の現像剤量を規制する現像ドクター７２、現像剤を攪拌する攪拌部材７３、７４、７５を備えている。現像装置７は、現像モータ８７によって駆動される。現像装置７に隣接するようにトナー補給部８が設けられており、図示していないトナーカートリッジから送られたトナーを補給ローラ８１により現像装置７内へ徐々に補給する。トナーの補給は現像装置７内の現像剤濃度に応じ、不足分のみ補給されるようトナー補給クラッチにより制御される。補給されたトナーは攪拌部材７３、７４、７５によりキャリアと攪拌され、キャリアに付着してマイナス帯電する。
【００１１】
そして、トナーは、現像ローラ７１ａ、７１ｂの磁石に引きつけられて付着する。現像ローラ７１ａ、７１ｂの回転により現像ドクター７２の所まで搬送されたトナーは、所定量に規制された後、感光体１０への現像領域まで供給される。図示していない現像バイアス電源から現像ロール７１ａ、７１ｂに約−５５０Ｖが給電されて、現像剤中のマイナス帯電したトナーのみが静電潜像に移動し、トナー像を形成する。
このとき、転写紙を収容する図示していない給紙カセットから転写紙が矢印Ｂ方向から搬送され、レジストローラ５によって一旦停止される。感光体１０上のトナー像のタイミングに合わせて、レジストローラ５より転写紙が送られ、転写装置６の転写ベルト６１により、感光体１０上のトナー像が転写紙に転写される。転写ベルト６１は、例えばゴムを中抵抗化した材料からなる。転写ベルト６１のベルト内側には駆動ローラ６２、従動ローラ６３、バイアスローラ６４が配設されている。バイアスローラ６４は高圧の転写電源６５とつながり、転写バイアスが印加され、感光体１０側に流れる電流が一定になるように制御されている。トナー像が転写された転写紙は、定着装置９０に至り、ここで、トナー像が転写紙に定着された後、画像形成装置１から排出される。転写紙に転写されずに感光体表面に残留するトナーは感光体クリーニング装置９１のブラシローラ９２、クリーニングブレード９３によって回収される。その後、感光体１０の表面は除電手段である除電ランプ９４により除電される。
【００１２】
本発明の画像形成装置１では、画像形成の工程中に、作像するトナー像の画像信号を検出し、トナー像の画像面積比率を検出する手段としての画像メモリ制御部１１１、現像装置７の駆動時間を検知し、１ジョブ中の現像駆動時間を算出する手段として現像駆動時間測定回路８５と、ジョブ中のトナー像の画像面積比率、用紙サイズ、現像駆動時間からジョブ中の単位駆動時間当たりの消費量を算出する手段として消費量測定回路８３とを備え、画像形成装置１は、消費量を算出する手段で算出された消費量が予め定めた一定の消費量より多い場合、ジョブエンド時に現像スリーブ７１ａ、７１ｂを回転させ、空転させる制御をする。
原稿読み取り部１１０で読み込まれた画像信号は、画像メモリ制御部１１１に蓄積される。この画像信号には、白黒、カラーの信号が含まれている。したがって、この画像メモリ制御部１１１で、その画像信号からこれらの比率を比較することで、白黒のモノクロパターンだけではなく、カラー画像を含めた原稿の画像面積比率を算出することができる。
次に、現像駆動測定回路８５によりジョブ中の現像装置７の駆動時間を測定する。この現像駆動時間測定回路８５で測定した駆動時間を用い、さらに、上述した画像面積比率と、画像形成装置が装着している給紙カセットからも用紙サイズ検知部８４から検知された用紙サイズとから、消費量を算出する手段でジョブ中の単位駆動時間当たりの消費量を算出する。
【数１】
2009175417.tif 000003
【００１３】
計算式中の飽和付着量はトップ画像濃度（画像濃度１．４）を出力するために必要な感光体１０上トナー像の付着量である。予め定めた一定の消費量より消費量が多い場合、コントローラ１００からの信号により、現像駆動モータ８７をジョブ終了時に駆動させ、現像スリーブ７１a、７１ｂを回転させる制御を行う。このように空転を行うことで、現像剤にストレスを与え、キャリアへのチタン移行を防止できるため、チタンスペントによる剤劣化を抑制できる。予め定めた一定の消費量は、画像形成のトータルの枚数における消費量で、例えば、１万プリントにおける消費量が予め定めた一定の消費量より多い場合に空転させる。または、連続した画像形成のジョブの中で、例えば、１０〜１００枚くらいのジョブ中で予め定めた一定の消費量より多い場合に、空転させる。また、画像形成装置１は、消費量を算出する手段８３でジョブ中の単位駆動時間当たりの消費量がある一定の消費量を超過した際に、ジョブエンド時に現像スリーブ７１ａ、７１ｂを回転させ、現像スリーブ７１ａ、７１ｂを空転させる制御をするものであっても良い。
また、空転するのは現像スリーブ７１ａ、７１ｂであるが、攪拌部材７３、７４、７５を空転させても良い。ただし、現像スリーブ７１ａ、７１ｂでは、キャリアの磁性と現像スリーブ内の磁石によってキャリアを激しく運動させていることから、キャリア表面の膜が剥がれ安い状況を生じさせている。攪拌部材７３、７４、７５でも同様に、激しく攪拌しているが、現像スリーブ７１ａ、７１ｂほどではないので、キャリアの劣化を抑えるには、現像スリーブ７１ａ、７１ｂを空転させることがよい。また、本実施形態では、現像スリーブ７１ａ、７１ｂを２つを示しているが、１つでも良い。空転とは、トナーを補給せずに回転させることをいう。これによって、一旦スペントした酸化チタンがキャリアの被覆樹脂と共に剥がれやすい状況にすることで、新たな酸化チタンが補給されないことから、新鮮な表面が露出することで、キャリアの劣化を抑えることができる。
【００１４】
図２は、累積現像駆動時間とキャリアへのチタン移行量から、不具合発生の関係を示した図である。図中の横軸上の駆動時間Ｔが現像剤寿命として定めた駆動時間である。また、縦軸上のＡがトナー帯電量低下やトナー飛散などの不具合が発生するチタン移行量（チタンスペント量）である。単位駆動時間当たりの消費量Ｍについては、駆動時間Ｔに達した際にチタンスペントによる不具合が発生する消費量である。
この消費量Ｍについては予め単位駆動時間当たり消費量測定回路８３で測定してコントローラ１００に記憶させている。まず、ジョブ中に作像されるトナー像の単位駆動時間当たりの消費量を算出する。この算出された、消費量がＭよりも大きくなった際に、コントローラ１００からの信号により、現像駆動モータ８７をジョブ終了時に駆動させ、現像スリーブ７１a、７１ｂを回転させる制御を行う。このように制御させることで、スペントが悪化し始めるある単位駆動時間当たりの消費量に達した際に、空転を行うことで、無駄な空転を減らした上で、チタンスペントによる剤劣化を抑制できる。
【００１５】
図２のように単位駆動時間当たりの消費量が消費量Ｍより大きく、キャリアの単位表面積当たりのチタン被覆率がある値となるチタンスペント量Ａに到達するまでの駆動時間が短い場合、早期に現像剤劣化が発生してしまう。そのため、ジョブ中に計算された単位駆動時間当たりの消費量が大きい場合、ジョブ終了後に空転を行うことで常に消費量Ｍより小さくする必要がある。まず、ジョブ中に作像されるトナー像の単位駆動時間当たりの消費量を算出する。
図３は、累積現像駆動時間とキャリアへのチタン移行量から、空転時間の制御を行う状況を示した図である。図３のようにこの際に測定された駆動時間をＴ0、トナー消費量Ｖ0、単位駆動時間当たりの消費量をＭ0＝Ｖ0／Ｔ0として単位駆動時間当たりの消費量測定回路８３に記録する。測定された単位駆動時間当たりの消費量がＭ0＞Ｍであれば、狙いの消費量をＭ１とし、Ｍ0×Ｂ＝Ｍ１＜Ｍとなるような係数Ｂを求める。次に消費量Ｍ１になるような駆動時間Ｔ１をＭ１=Ｖ0／Ｔ１から算出し、Ｔ１=Ｖ０ ／(Ｍ0×Ｂ)を求める。これにより、狙いの単位駆動時間当たりの消費量Ｍ１になるような駆動時間Ｔ１とＴ0の差分を単位駆動時間当たりの消費量測定回路８３で計算し、コントローラ１００からの信号により、現像駆動モータ８７をジョブ終了時に駆動させ、現像スリーブ７１a、７１ｂを回転させる制御を行う。このように制御させることで、単位駆動時間あたりの消費量が極端に高くても、ジョブ毎で駆動時間当たりの消費量を少なくなるように制御するため、経時で安定してチタンスペントによる剤劣化を抑制できる。
これによって、ジョブ中に測定された単位駆動時間当たりの消費量に応じて、空転時間の制御を行うことで、経時で安定してチタンスペントによる剤劣化、画像劣化を防止できる。
なお、この駆動時間Ｔ、トナー消費量Ｖは、現像装置７における現像スリーブ７１ａ、７１ｂの外径、現像装置内の現像剤量等によって、駆動時間Ｔ、トナー消費量Ｖ、キャリアへの移行量Ａ、単位駆動時間当たりのトナー消費量Ｍが決定される。しかし、基本的な考え方を含めて、本発明の画像形成装置１で、キャリアへのチタン移行を防止できるため、チタンスペントによる剤劣化、画像劣化を防止でき、長期にわたって安定した画像形成を行うことができる。
【００１６】
チタンの大きさは、ＢＥＴ測定法で測定した表面積から、球とした場合の換算で、２０〜５０ｎｍの範囲が好ましい。これは、粒径が大きい方がスペントしにくいことから、２０ｎｍ未満では、スペントが激しくなり、寿命を延ばすことが難しい。５０ｎｍを越えると、研摩性が大きくなり、キャリアの被膜を摩耗させ、キャリアの寿命を短くする。添加量は、トナーに対して、チタンは、０．１〜５．０重量％、好ましくは０．５〜３．０重量％使用することが好ましい。０．１重量％未満の場合にはその添加による効果が発揮されにくく、また、添加量が５．０重量％を越える場合にはトナー表面での保持が充分に行われず、脱離が発生してしまう可能性がある。また、各種チタンカップリング剤、シランカップリング剤等のいわゆるカップリング剤やシリコーンオイル等によって疎水化処理することが好ましい。チタンの帯電性は、トナーと異なり正帯電性なので、スペント等による劣化の効果がシリカ等の他の外添剤より顕著に発現されることから、外添剤としては、主にチタンを制御することで、経時で安定してチタンスペントによる剤劣化、画像劣化を防止できる。
【００１７】
また、本発明の画像形成装置１では、チタンの他に、外添剤としては、各種無機微粒子、有機微粒子等を使用することができる。無機微粒子としては、各種酸化物、窒化物、ホウ化物等をあげることができる。例えば、シリカ、アルミナ、ジルコニア、チタン酸バリウム、チタン酸アルミニウム、チタン酸ストロンチウム、チタン酸マグネシウム、酸化亜鉛、酸化クロム、酸化セリウム、酸化アンチモン、酸化タングステン、酸化スズ、酸化テルル、酸化マンガン、酸化ホウ素、炭化ケイ素、炭化ホウ素、炭化チタン、窒化ケイ素、窒化チタン、窒化ホウ素等があげられる。さらに、疎水化処理をおこなったものでもよい。疎水化処理を行う場合には、各種チタンカップリング剤、シランカップリング剤等のいわゆるカップリング剤やシリコーンオイル等によって疎水化処理することが好ましい。
一方、酸化チタン以外の外添剤としては、シリカが好ましく、大きさは、ＢＥＴ測定法で測定した表面積から、球とした場合の換算で、７〜３０ｎｍの範囲が好ましい。この範囲で有れば、トナーの流動性を良くし、かつ、帯電性を制御することができる。添加量は、トナーに対して、０．２〜５．０重量％、好ましくは０．５〜３．０重量％使用することが好ましい。０．２重量％未満の場合にはその添加による、流動性、帯電性の効果が発揮されにくく、また、添加量が５．０重量％を越える場合にはトナー表面での保持が充分に行われず、脱離が発生してしまう。外添剤として、チタン：シリカ等の外添剤は、１０〜４０：６０〜９０の割合が好ましい。これによって、帯電性、流動性を制御し、かつ、寿命を同時に制御することができる。
【００１８】
二成分系現像剤として用いるが、磁性キャリアと混合して用いる。二成分現像剤として用いる場合には、現像剤のキャリアとトナーの混合比（含有比）は、キャリア１００重量部に対してトナー１〜１０重量部が好ましい。磁性キャリアとしては、粒子径２０〜２００μｍ程度の鉄粉、フェライト粉、マグネタイト粉、磁性樹脂キャリア等から公知のものが使用される。また、磁性キャリアの被覆材料としては、アクリル樹脂、ポリメチルメタクリレート樹脂、ポリアクリロニトリル樹脂、ポリ酢酸ビニル樹脂、ポリビニルアルコール樹脂、ポリビニルブチラール樹脂、ポリスチレン樹脂およびスチレンアクリル共重合樹脂等のポリスチレン系樹脂、およびシリコーン樹脂等が使用できる。さらに、必要に応じて、導電粉等を被覆樹脂中に含有させてもよい。導電粉としては、金属粉、カーボンブラック、酸化チタン、酸化錫、酸化亜鉛等が使用できる。これらの導電粉は、平均粒子径１μｍ以下のものが好ましい。平均粒子径が１μｍよりも大きくなると、電気抵抗の制御が困難になる。
【００１９】
さらに、本発明の画像形成装置１では、現像スリーブ７１ａ、７１ｂ空転時のスリーブ線速を制御させる。ジョブエンド時の空転を行う際に、コントローラ１００からの信号により、現像モータ８７の回転数を上げる制御を行う。このように制御を行うことで、空転にかかる時間を少なくし、次のジョブ入力可能までの時間を短縮でき、画像形成の生産性を高めることができる。一方、ジョブエンド時の空転をする際に、現像モータ８７の回転数を早くしすぎた場合、現像剤に過度のストレスがかかり、トナーからワックス成分が染み出し、キャリア表面にワックスがスペントしてしまう。ワックスがスペントしてしまうと、剤の帯電能力が低下してしまう不具合が発生してしまうため、ジョブエンド時の空転を行う際に、コントローラ１００からの信号により、現像モータ８７の回転数を感光体ドラムに対する対ドラム線速比を２．５までの範囲で上げる制御をおこなう。このように制御を行うことで、ワックススペントなどの副作用を発生させることなく、空転にかかる時間を少なくし、次のジョブ入力可能までの時間を短縮できる。また、線速比は、１．０を越える制御を行う。１．０以下では、現像スリーブ７１ａ、７１ｂの搬送量に係わらず、濃度の高い画像を得ることが困難である。また、空転にかかる時間を少なくすることが困難であり、次のジョブ入力可能までの時間を短縮できず、画像形成の生産性を高めることができない。
【００２０】
以上モノクロの画像形成装置で説明しているが、比較的画像面積率の高い使われ方をするカラーの画像形成装置にも適用することができる。
【図面の簡単な説明】
【００２１】
【図１】本発明の実施形態の画像形成装置の構成を示す概略図である。
【図２】累積現像駆動時間とキャリアへのチタン移行量から、不具合発生の関係を示した図である。
【図３】累積現像駆動時間とキャリアへのチタン移行量から、空転時間の制御を行う状況を示した図である。
【図４】累積現像駆動時間とキャリアへのチタン移行量との関係を示した図である。
【符号の説明】
【００２２】
１：画像形成装置
２：帯電装置
３：露光装置
５：レジストローラ
６：転写装置
７：現像装置
８：トナー補給部
１０：感光体
６１：転写ベルト
６２：駆動ローラ
６３：従動ローラ
６４：バイアスローラ
６５：転写電源
６６：電極部材
６７：樹脂ケース
６７ａ：支点
６９：モータ
７１ａ、７１ｂ：現像ローラ
７２：現像ドクター
７３、７４、７５：攪拌部材
８１：補給ローラ
８３：単位時間当たりの消費量測定回路
８４：用紙サイズ検知部
８５：現像駆動時間測定回路
８６：書き込み信号メモリ
８７：モータ
９０：定着装置
９１：クリーニング装置
９２：ブラシローラ
９３：クリーニングブレード
９４：除電ランプ
１００：コントローラ
１１０：原稿読取部
１１１：画像メモリ制御部
１１２：ＣＣＤ
【図１】
2009175417.tif 000004
【図２】
2009175417.tif 000005
【図３】
2009175417.tif 000006
【図４】
2009175417.tif 000007